(57)【要約】【課題】１つのプローブ部を用いて２つの被測定信号を測定できるオシロスコープを提供する。【解決手段】第１被測定信号を測定するプローブ１２ａ、被測定対象のグランドと接触されるグランドリード１２ｂ、プローブ部１０を本体部３０と接続するためのプローブ部側コネクタ１３を有するプローブ部１０と、本体部３０のグランドとグランドリード１ｂが接触する被測定対象のグランドとを接続するための接続端子３１ｂを有する本体部３０と、を備えるオシロスコープにおいて、グランドリード１２ｂを第２被測定信号が測定可能に構成し、プローブ部側コネクタ１３の接続端子３１ｂと接触する部分を絶縁体で形成し、そして、第１被測定信号及び第２被測定信号を処理して、当該処理された第１被測定信号及び第２被測定信号の波形を本体部３０の表示部３５に表示するよう構成した。【選択図】図２
2009047589.tif 000002
【特許請求の範囲】
【請求項１】
被測定信号を測定するプローブ部と、前記プローブ部により測定された被測定信号の波形を表示部に表示する本体部と、を備え、
前記プローブ部は、
前記被測定信号を発生する被測定対象のグランドと接触されるグランドリードと、
前記被測定信号としての第１被測定信号を測定するためのプローブと、
前記プローブにより測定された第１被測定信号を前記本体部に出力するための第１出力端子を有するプローブ部側コネクタと、を有し、
前記本体部は、
前記プローブ部側コネクタと接続可能に構成され、前記第１出力端子から出力された第１被測定信号が入力される第１入力端子と、当該本体部のグランドと前記グランドリードが接触する被測定対象のグランドとを接続するための接続端子と、を有する本体部側コネクタと、
前記第１入力端子に入力された第１被測定信号を処理する信号処理手段と、
前記信号処理手段により処理された第１被測定信号の波形を前記表示部に表示させる表示制御手段と、を有するオシロスコープにおいて、
前記グランドリードは、前記被測定信号としての第２被測定信号を測定可能に構成され、
前記プローブ部側コネクタは、前記接続端子と接触する部分が絶縁体で形成されているとともに、前記グランドリードにより測定された第２被測定信号を前記本体部に出力するための第２出力端子を有し、
前記本体部は、前記第２出力端子から出力された第２被測定信号が入力される第２入力端子を有し、
当該オシロスコープは、前記本体部のグランドと、前記被測定対象のグランドと、を接続するための接続手段を備え、
前記信号処理手段は、前記第２入力端子に入力された第２被測定信号を処理し、
前記表示制御手段は、前記信号処理手段により処理された第２被測定信号の波形を前記表示部に表示させることを特徴とするオシロスコープ。
【請求項２】
請求項１に記載のオシロスコープにおいて、
前記プローブ部側コネクタは、前記プローブ部により前記第１被測定信号のみを測定する場合に前記本体部側コネクタに接続される第１プローブ部側コネクタと、前記第１プローブ部側コネクタに着脱自在に取り付けられ、前記プローブ部により前記第１被測定信号及び前記第２被測定信号を測定する場合に当該第１プローブ部側コネクタに取り付けられた状態で前記本体部側コネクタに接続されるとともに前記第１出力端子と前記第２出力端子とを有する第２プローブ部側コネクタと、を有し、
前記第１プローブ部側コネクタは、前記第２プローブ部側コネクタが取り付けられている場合は、前記プローブにより測定された第１被測定信号を当該第２プローブ部側コネクタの前記第１出力端子に出力するとともに、前記第２プローブ部側コネクタが取り外されている場合は、前記プローブにより測定された第１被測定信号を前記第１入力端子に出力するための第１端子と、前記第２プローブ部側コネクタが取り付けられている場合は、前記グランドリードにより測定された第２被測定信号を当該第２プローブ部側コネクタの前記第２出力端子に出力するとともに、前記第２プローブ部側コネクタが取り外されている場合は、前記グランドリードと前記接続端子とを電気的に接続するための第２端子と、を有し、
前記第２プローブ部側コネクタは、前記接続端子と接触する部分が絶縁体で形成されていることを特徴とするオシロスコープ。
【請求項３】
請求項２に記載のオシロスコープにおいて、
前記本体部側コネクタに、前記第２プローブ部側コネクタが取り外された前記第１プローブ部側コネクタが接続される場合は、前記信号処理手段を、前記第１被測定信号のみを処理する状態に切り替え、前記本体部側コネクタに、前記第１プローブ部側コネクタに取り付けられた前記第２プローブ部側コネクタが接続される場合は、前記信号処理手段を、前記第１被測定信号及び前記第２被測定信号を処理する状態に切り替える切替手段を備えることを特徴とするオシロスコープ。
【請求項４】
請求項１〜３の何れか一項に記載のオシロスコープにおいて、
前記信号処理手段は、前記第１被測定信号及び前記第２被測定信号を用いて論理演算を行い、
前記表示制御手段は、前記論理演算の結果を前記表示部に表示させることを特徴とするオシロスコープ。
【請求項５】
被測定信号を測定するプローブ部と、前記プローブ部により測定された被測定信号の波形を表示部に表示する本体部と、を備え、
前記プローブ部は、
前記被測定信号を発生する被測定対象のグランドと接触されるグランドリードと、
前記被測定信号としての第１被測定信号を測定するためのプローブと、
前記プローブにより測定された第１被測定信号を前記本体部に出力するための第１出力端子を有するプローブ部側コネクタと、を有し、
前記本体部は、
前記プローブ部側コネクタと接続可能に構成され、前記第１出力端子から出力された第１被測定信号が入力される第１入力端子と、当該本体部のグランドと前記グランドリードが接触する被測定対象のグランドとを接続するための接続端子と、を有する本体部側コネクタと、
前記第１入力端子に入力された第１被測定信号を処理する信号処理手段と、
前記信号処理手段により処理された第１被測定信号の波形を前記表示部に表示させる表示制御手段と、を有するオシロスコープにおいて、
前記グランドリードは、前記被測定信号としての第２被測定信号を測定可能に構成され、
前記プローブ部側コネクタは、前記プローブ部により前記第１被測定信号のみを測定する場合に前記本体部側コネクタに接続される第１プローブ部側コネクタと、前記第１プローブ部側コネクタに着脱自在に取り付けられ、前記プローブ部により前記第１被測定信号及び前記第２被測定信号を測定する場合に当該第１プローブ部側コネクタに取り付けられた状態で前記本体部側コネクタに接続されるとともに前記第１出力端子と前記グランドリードにより測定された第２被測定信号を前記本体部に出力するための第２出力端子とを有する第２プローブ部側コネクタと、を有し、
前記第１プローブ部側コネクタは、前記第２プローブ部側コネクタが取り付けられている場合は、前記プローブにより測定された第１被測定信号を当該第２プローブ部側コネクタの前記第１出力端子に出力するとともに、前記第２プローブ部側コネクタが取り外されている場合は、前記プローブにより測定された第１被測定信号を前記第１入力端子に出力するための第１端子と、前記第２プローブ部側コネクタが取り付けられている場合は、前記グランドリードにより測定された第２被測定信号を当該第２プローブ部側コネクタの前記第２出力端子に出力するとともに、前記第２プローブ部側コネクタが取り外されている場合は、前記グランドリードと前記接続端子とを電気的に接続するための第２端子と、を有し、
前記第２プローブ部側コネクタは、前記接続端子と接触する部分が絶縁体で形成され、
前記本体部は、前記第２出力端子から出力された第２被測定信号が入力される第２入力端子を有し、
当該オシロスコープは、前記本体部側コネクタに前記第１プローブ部側コネクタに取り付けられた前記第２プローブ部側コネクタが接続される場合に、前記本体部のグランドと、前記被測定対象のグランドと、を接続するための接続手段と、前記本体部側コネクタに、前記第２プローブ部側コネクタが取り外された前記第１プローブ部側コネクタが接続される場合は、前記信号処理手段を、前記第１被測定信号のみを処理する状態に切り替え、前記本体部側コネクタに、前記第１プローブ部側コネクタに取り付けられた前記第２プローブ部側コネクタが接続される場合は、前記信号処理手段を、前記第１被測定信号及び前記第２被測定信号を処理する状態に切り替える切替手段と、を備え、
前記信号処理手段は、前記切替手段により前記第１被測定信号及び前記第２被測定信号を処理する状態に切り替えられている場合は、前記第２入力端子に入力された第２被測定信号を処理するとともに、前記第１被測定信号及び前記第２被測定信号を用いた論理演算が可能であり、
前記表示制御手段は、前記信号処理手段により処理された第２被測定信号の波形を前記表示部に表示可能であるとともに、前記論理演算の結果を前記表示部に表示可能であることを特徴とするオシロスコープ。
【発明の詳細な説明】
【技術分野】
【０００１】
本発明は、オシロスコープに関する。
【背景技術】
【０００２】
従来、電気信号の波形を表示するための測定器としてオシロスコープが知られている。
具体的には、オシロスコープは、例えば、プローブ部によって被測定信号を測定し、本体部によってその測定された被測定信号の波形を表示するようになっている。
【０００３】
オシロスコープのプローブ部は、例えば、被測定信号を測定するためのプローブと、その被測定信号を発生する被測定対象のグランドと接触するグランドロードと、プローブにより測定された被測定信号を本体部に伝送する内部導体及び本体部のグランドとグランドリードが接触する被測定対象のグランドとを接続する外部導体からなる同軸ケーブルと、この同軸ケーブルを本体部に接続するためのプローブ部側コネクタと、などを備えて構成される（例えば、特許文献１及び２参照）。
【０００４】
ところで、例えば、２つの被測定信号を同時に測定して、波形を同時に表示したい場合、この２つの被測定信号をそれぞれ測定する２つのプローブ部（例えば、ｃｈ１のプローブ部とｃｈ２のプローブ部）が必要となる。また、オシロスコープによってＡＮＤやＯＲなどの論理トリガを使用して測定する場合、トリガ源となる被測定信号が２つ必要であるため、この２つの被測定信号をそれぞれ測定する２つのプローブ部が必要となる。
【特許文献１】特開平９−２１１０２６号公報
【特許文献２】特開平７−１１３８２２号公報
【発明の開示】
【発明が解決しようとする課題】
【０００５】
しかしながら、オシロスコープに２つのプローブ部を備えるのは煩わしい。
【０００６】
本発明の課題は、１つのプローブ部を用いて２つの被測定信号を測定できるオシロスコープを提供することにある。
【課題を解決するための手段】
【０００７】
上記課題を解決するために、請求項１に記載の発明は、
被測定信号を測定するプローブ部と、前記プローブ部により測定された被測定信号の波形を表示部に表示する本体部と、を備え、
前記プローブ部は、
前記被測定信号を発生する被測定対象のグランドと接触されるグランドリードと、
前記被測定信号としての第１被測定信号を測定するためのプローブと、
前記プローブにより測定された第１被測定信号を前記本体部に出力するための第１出力端子を有するプローブ部側コネクタと、を有し、
前記本体部は、
前記プローブ部側コネクタと接続可能に構成され、前記第１出力端子から出力された第１被測定信号が入力される第１入力端子と、当該本体部のグランドと前記グランドリードが接触する被測定対象のグランドとを接続するための接続端子と、を有する本体部側コネクタと、
前記第１入力端子に入力された第１被測定信号を処理する信号処理手段と、
前記信号処理手段により処理された第１被測定信号の波形を前記表示部に表示させる表示制御手段と、を有するオシロスコープにおいて、
前記グランドリードは、前記被測定信号としての第２被測定信号を測定可能に構成され、
前記プローブ部側コネクタは、前記接続端子と接触する部分が絶縁体で形成されているとともに、前記グランドリードにより測定された第２被測定信号を前記本体部に出力するための第２出力端子を有し、
前記本体部は、前記第２出力端子から出力された第２被測定信号が入力される第２入力端子を有し、
当該オシロスコープは、前記本体部のグランドと、前記被測定対象のグランドと、を接続するための接続手段を備え、
前記信号処理手段は、前記第２入力端子に入力された第２被測定信号を処理し、
前記表示制御手段は、前記信号処理手段により処理された第２被測定信号の波形を前記表示部に表示させることを特徴とする。
【０００８】
請求項２に記載の発明は、
請求項１に記載のオシロスコープにおいて、
前記プローブ部側コネクタは、前記プローブ部により前記第１被測定信号のみを測定する場合に前記本体部側コネクタに接続される第１プローブ部側コネクタと、前記第１プローブ部側コネクタに着脱自在に取り付けられ、前記プローブ部により前記第１被測定信号及び前記第２被測定信号を測定する場合に当該第１プローブ部側コネクタに取り付けられた状態で前記本体部側コネクタに接続されるとともに前記第１出力端子と前記第２出力端子とを有する第２プローブ部側コネクタと、を有し、
前記第１プローブ部側コネクタは、前記第２プローブ部側コネクタが取り付けられている場合は、前記プローブにより測定された第１被測定信号を当該第２プローブ部側コネクタの前記第１出力端子に出力するとともに、前記第２プローブ部側コネクタが取り外されている場合は、前記プローブにより測定された第１被測定信号を前記第１入力端子に出力するための第１端子と、前記第２プローブ部側コネクタが取り付けられている場合は、前記グランドリードにより測定された第２被測定信号を当該第２プローブ部側コネクタの前記第２出力端子に出力するとともに、前記第２プローブ部側コネクタが取り外されている場合は、前記グランドリードと前記接続端子とを電気的に接続するための第２端子と、を有し、
前記第２プローブ部側コネクタは、前記接続端子と接触する部分が絶縁体で形成されていることを特徴とする。
【０００９】
請求項３に記載の発明は、
請求項２に記載のオシロスコープにおいて、
前記本体部側コネクタに、前記第２プローブ部側コネクタが取り外された前記第１プローブ部側コネクタが接続される場合は、前記信号処理手段を、前記第１被測定信号のみを処理する状態に切り替え、前記本体部側コネクタに、前記第１プローブ部側コネクタに取り付けられた前記第２プローブ部側コネクタが接続される場合は、前記信号処理手段を、前記第１被測定信号及び前記第２被測定信号を処理する状態に切り替える切替手段を備えることを特徴とする。
【００１０】
請求項４に記載の発明は、
請求項１〜３の何れか一項に記載のオシロスコープにおいて、
前記信号処理手段は、前記第１被測定信号及び前記第２被測定信号を用いて論理演算を行い、
前記表示制御手段は、前記論理演算の結果を前記表示部に表示させることを特徴とする。
【００１１】
請求項５に記載の発明は、
被測定信号を測定するプローブ部と、前記プローブ部により測定された被測定信号の波形を表示部に表示する本体部と、を備え、
前記プローブ部は、
前記被測定信号を発生する被測定対象のグランドと接触されるグランドリードと、
前記被測定信号としての第１被測定信号を測定するためのプローブと、
前記プローブにより測定された第１被測定信号を前記本体部に出力するための第１出力端子を有するプローブ部側コネクタと、を有し、
前記本体部は、
前記プローブ部側コネクタと接続可能に構成され、前記第１出力端子から出力された第１被測定信号が入力される第１入力端子と、当該本体部のグランドと前記グランドリードが接触する被測定対象のグランドとを接続するための接続端子と、を有する本体部側コネクタと、
前記第１入力端子に入力された第１被測定信号を処理する信号処理手段と、
前記信号処理手段により処理された第１被測定信号の波形を前記表示部に表示させる表示制御手段と、を有するオシロスコープにおいて、
前記グランドリードは、前記被測定信号としての第２被測定信号を測定可能に構成され、
前記プローブ部側コネクタは、前記プローブ部により前記第１被測定信号のみを測定する場合に前記本体部側コネクタに接続される第１プローブ部側コネクタと、前記第１プローブ部側コネクタに着脱自在に取り付けられ、前記プローブ部により前記第１被測定信号及び前記第２被測定信号を測定する場合に当該第１プローブ部側コネクタに取り付けられた状態で前記本体部側コネクタに接続されるとともに前記第１出力端子と前記グランドリードにより測定された第２被測定信号を前記本体部に出力するための第２出力端子とを有する第２プローブ部側コネクタと、を有し、
前記第１プローブ部側コネクタは、前記第２プローブ部側コネクタが取り付けられている場合は、前記プローブにより測定された第１被測定信号を当該第２プローブ部側コネクタの前記第１出力端子に出力するとともに、前記第２プローブ部側コネクタが取り外されている場合は、前記プローブにより測定された第１被測定信号を前記第１入力端子に出力するための第１端子と、前記第２プローブ部側コネクタが取り付けられている場合は、前記グランドリードにより測定された第２被測定信号を当該第２プローブ部側コネクタの前記第２出力端子に出力するとともに、前記第２プローブ部側コネクタが取り外されている場合は、前記グランドリードと前記接続端子とを電気的に接続するための第２端子と、を有し、
前記第２プローブ部側コネクタは、前記接続端子と接触する部分が絶縁体で形成され、
前記本体部は、前記第２出力端子から出力された第２被測定信号が入力される第２入力端子を有し、
当該オシロスコープは、前記本体部側コネクタに前記第１プローブ部側コネクタに取り付けられた前記第２プローブ部側コネクタが接続される場合に、前記本体部のグランドと、前記被測定対象のグランドと、を接続するための接続手段と、前記本体部側コネクタに、前記第２プローブ部側コネクタが取り外された前記第１プローブ部側コネクタが接続される場合は、前記信号処理手段を、前記第１被測定信号のみを処理する状態に切り替え、前記本体部側コネクタに、前記第１プローブ部側コネクタに取り付けられた前記第２プローブ部側コネクタが接続される場合は、前記信号処理手段を、前記第１被測定信号及び前記第２被測定信号を処理する状態に切り替える切替手段と、を備え、
前記信号処理手段は、前記切替手段により前記第１被測定信号及び前記第２被測定信号を処理する状態に切り替えられている場合は、前記第２入力端子に入力された第２被測定信号を処理するとともに、前記第１被測定信号及び前記第２被測定信号を用いた論理演算が可能であり、
前記表示制御手段は、前記信号処理手段により処理された第２被測定信号の波形を前記表示部に表示可能であるとともに、前記論理演算の結果を前記表示部に表示可能であることを特徴とする。
【発明の効果】
【００１２】
本発明によれば、被測定信号を測定するプローブ部と、プローブ部により測定された被測定信号の波形を表示部に表示する本体部と、を備え、プローブ部は、被測定信号を発生する被測定対象のグランドと接触されるグランドリードと、被測定信号としての第１被測定信号を測定するためのプローブと、プローブにより測定された第１被測定信号を本体部に出力するための第１出力端子を有するプローブ部側コネクタと、を有し、本体部は、プローブ部側コネクタと接続可能に構成され、第１出力端子から出力された第１被測定信号が入力される第１入力端子と、本体部のグランドとグランドリードが接触する被測定対象のグランドとを接続するための接続端子と、を有する本体部側コネクタと、第１入力端子に入力された第１被測定信号を処理する信号処理手段と、信号処理手段により処理された第１被測定信号の波形を表示部に表示させる表示制御手段と、を有するオシロスコープにおいて、グランドリードは、被測定信号としての第２被測定信号を測定可能に構成され、プローブ部側コネクタは、接続端子と接触する部分が絶縁体で形成されているとともに、グランドリードにより測定された第２被測定信号を本体部に出力するための第２出力端子を有し、本体部は、第２出力端子から出力された第２被測定信号が入力される第２入力端子を有し、オシロスコープは、本体部のグランドと、被測定対象のグランドと、を接続するための接続手段を備え、信号処理手段は、第２入力端子に入力された第２被測定信号を処理し、表示制御手段は、信号処理手段により処理された第２被測定信号の波形を表示部に表示させるようになっている。
すなわち、プローブにより第１被測定信号を測定して、グランドリードにより第２被測定信号を測定することができるため、２つのプローブ部を備えなくても、１つのプローブ部を用いて２つの被測定信号を測定できる。
【発明を実施するための最良の形態】
【００１３】
以下、図を参照して、本発明にかかるオシロスコープの最良の形態を詳細に説明する。なお、発明の範囲は、図示例に限定されない。
【００１４】
＜オシロスコープの構成＞
本発明のオシロスコープ１の構成について、図１〜図４を参照して説明する。
オシロスコープ１は、例えば、被測定信号を測定するプローブ部１０と、プローブ部１０により測定された被測定信号の波形を表示部３５に表示する本体部３０と、などを備えて構成される。
【００１５】
≪プローブ部の構成≫
プローブ部１０は、本体部３０に着脱自在に接続されるようになっている。そして、プローブ部１０は、被測定信号としての第１被測定信号のみを測定して本体部３０に出力できるとともに、第１被測定信号及び被測定信号としての第２被測定信号を同時に測定して本体部３０に出力できるようになっている。
具体的には、プローブ部１０は、例えば、ケーブル１１と、ケーブル１１の一端に設けられたプローブ１２ａ及びグランドリード１２ｂと、ケーブル１１の他端に設けられたプローブ部側コネクタ１３と、などを備えて構成される。
【００１６】
ケーブル１１は、例えば、内部導体１１ａと、内部導体１１ａの周囲を覆う絶縁体（図示省略）と、当該絶縁体の周囲を覆う外部導体１１ｂと、外部導体１１ｂの周囲を覆う保護被膜１１ｃと、などを有する同軸ケーブルである。ケーブル１１の一端側（プローブ１２ａ及びグランドリード１２ｂが設けられる側）では、例えば、内部導体１１ａと外部導体１１ｂとが分岐しており、それぞれの周囲が保護被膜１１ｃで覆われている。
【００１７】
プローブ１２ａは、例えば、ケーブル１１の内部導体１１ａのうちの、外部導体１１ｂが分岐された内部導体１１ａと接続している。
プローブ１２ａは、被測定対象（例えば、回路等）と接触して、第１被測定信号を測定する。
【００１８】
グランドリード１２ｂは、例えば、ケーブル１１の外部導体１１ｂのうちの、内部導体１１ａから分岐した外部導体１１ｂと接続している。
グランドリード１２ｂは、本来は、被測定信号を発生する被測定対象のグランドと接触して、被測定対象のグランドと本体部３０のグランドとを接続するためのものであるが、第２被測定信号を測定可能に構成されている。すなわち、プローブ部１０により第１被測定信号のみを測定する場合は、グランドリード１２ｂは、被測定対象のグランドと接触し、プローブ部１０により第１被測定信号及び第２被測定信号を同時に測定する場合は、グランドリード１２ｂは、被測定対象と接触して、第２被測定信号を測定する。
【００１９】
プローブ部側コネクタ１３は、第１プローブ部側コネクタ１３１と、第１プローブ部側コネクタ１３１に着脱自在に取り付けられる第２プローブ部側コネクタ１３２と、を有している。
第１プローブ部側コネクタ１３１は、例えば、プローブ部１０により第１被測定信号のみを測定する場合に、本体部側コネクタ３１に接続される。
一方、第２プローブ部側コネクタ１３２は、例えば、プローブ部１０により第１被測定信号及び第２被測定信号を測定する場合に、第１プローブ部側コネクタ１３１に取り付けられた状態で、本体部側コネクタ３１に接続される。
すなわち、例えば、図３に示すように、第２プローブ部側コネクタ１３２が取り外された状態では、プローブ部１０は、第１被測定信号のみを測定可能な一般的なプローブ部であるが、例えば、図２に示すように、第２プローブ部側コネクタ１３２が取り付けられた状態では、プローブ部１０は、第１被測定信号及び第２被測定信号を同時に測定可能なプローブ部となる。言い換えると、第２プローブ部側コネクタ１３２は、プローブ部１０を、１つの被測定信号のみを測定可能なプローブ部から、２つの被測定信号を同時に測定可能なプローブ部に変換する変換アダプタである。
【００２０】
第１プローブ部側コネクタ１３１は、例えば、オス型のコネクタである。第１プローブ部側コネクタ１３１は、例えば、同軸ケーブルであるケーブル１１を、本体部３０に接続するための同軸コネクタであり、具体的には、例えば、ＢＮＣ（Bayonet Neil Concelman）コネクタである。
具体的には、第１プローブ部側コネクタ１３１は、例えば、プローブ１２ａ及びグランドリード１２ｂが一端に設けられたケーブル１１の他端に設けられ、例えば、ケーブル１１の内部導体１１ａと接続する第１端子１３１ａと、ケーブル１１の外部導体１１ｂと接続する第２端子１３１ｂと、第１端子１３１ａ及び第２端子１３１ｂを支持する支持部１３１ｃと、などを有している。
【００２１】
第１端子１３１ａは、例えば、第１プローブ部側コネクタ１３１に第２プローブ部側コネクタ１３２が取り付けられている場合は、第２プローブ部側コネクタ１３２の第１接触端子１３２ｃと接触して、プローブ１２ａにより測定された第１被測定信号を第２プローブ部側コネクタ１３２に出力するとともに、第１プローブ部側コネクタ１３１から第２プローブ部側コネクタ１３２が取り外されている場合は、本体部３０の第１入力端子３１ａと接触して、プローブ１２ａにより測定された第１被測定信号を本体部３０に出力する。
【００２２】
第２端子１３１ｂは、例えば、第１プローブ部側コネクタ１３１に第２プローブ部側コネクタ１３２が取り付けられている場合は、第２プローブ部側コネクタ１３２の第２接触端子１３２ｄと接触して、グランドリード１２ｂにより測定された第２被測定信号を第２プローブ部側コネクタ１３２に出力するとともに、第１プローブ部側コネクタ１３１から第２プローブ部側コネクタ１３２が取り外されている場合は、本体部３０の接続端子３１ｂと電気的に接続して、本体部３０のグランドと、グランドリード１２ｂが接触する被測定対象のグランドと、を接続する。
【００２３】
支持部１３１ｃは、例えば、絶縁体で、略円柱状に形成されている。
支持部１３１ｃは、例えば、第２プローブ部側コネクタ１３２又は本体部３０と接続される側の面に略円柱状の凹部を有している。例えば、支持部１３１ｃの凹部は、当該凹部の底面から開口に向かって第１端子１３１ａが突出しており、支持部１３１ｃの凹部の側面は、第２端子１３１ｂでほぼ覆われている。
側面が第２端子１３１ｂでほぼ覆われた支持部１３１ｃの凹部は、第１プローブ部側コネクタ１３１に第２プローブ部側コネクタ１３２が取り付けられている場合は、側面が第２接触端子１３２ｄでほぼ覆われた第２プローブ部側コネクタ１３２の支持部１３２ｅの凸部と嵌合するようになっており、第１プローブ部側コネクタ１３１から第２プローブ部側コネクタ１３２が取り外されている場合は、本体部側コネクタ３１の支持部３１ｃにおける接続端子３１ｂで覆われた部分と嵌合するようになっている。
【００２４】
第２プローブ部側コネクタ１３２は、例えば、第１プローブ部側コネクタ１３２に取り付けられる側がメス型であり、本体部３０と接続される側がオス型のコネクタである。第２プローブ部側コネクタ１３２は、例えば、第１プローブ部側コネクタ１３１とともに、同軸ケーブルであるケーブル１１を、本体部３０に接続するための同軸コネクタであり、具体的には、例えば、ＢＮＣコネクタである。
具体的には、第２プローブ部側コネクタ１３２は、例えば、第１出力端子１３２ａと、第２出力端子１３２ｂと、第１出力端子１３２ａに接続された第１接触端子１３２ｃと、第２出力端子１３２ｂに接続された第２接触端子１３２ｄと、第１出力端子１３２ａ、第２出力端子１３２ｂ、第１接触端子１３２ｃ及び第２接触端子１３２ｄを支持する支持部１３２ｅと、などを有している。
【００２５】
第１接触端子１３２ｃは、例えば、第１プローブ部側コネクタ１３１の第１端子１３１ａと接触して、プローブ１２ａにより測定された第１被測定信号を第１出力端子１３２ａに出力する。
第１出力端子１３２ａは、例えば、本体部３０の第１入力端子３１ａと接触して、第１接触端子１３２ｃから入力された、プローブ１２ａにより測定された第１被測定信号を本体部３０に出力する。
【００２６】
第２接触端子１３２ｄは、例えば、第１プローブ部側コネクタ１３１の第２端子１３１ｂと接触して、グランドリード１２ｂにより測定された第２被測定信号を第２出力端子１３２ｂに出力する。
第２出力端子１３２ｂは、例えば、本体部３０の第２入力端子３２と接触して、第２接触端子１３２ｄから入力された、グランドリード１２ｂにより測定された第２被測定信号を本体部３０に出力する。
【００２７】
支持部１３２ｅは、例えば、絶縁体で、略楕円柱状に形成されている。
支持部１３２ｅは、例えば、本体部３０と接続される側の面に略円柱状の凹部を有している。例えば、支持部１３２ｅの凹部は、当該凹部の底面から開口に向かって第１出力端子１３２ａが突出している。また、支持部１３２ｅは、例えば、支持部１３２ｅの本体部３０と接続される側の面から第２出力端子１３２ｂが突出している。
支持部１３２ｅの凹部は、本体部側コネクタ３１の支持部３１ｃにおける接続端子３１ｂで覆われた部分と嵌合するようになっている。すなわち、第２プローブ部側コネクタ１３２における接続端子３１と接触する部分は、絶縁体で形成された支持部１３２ｅの凹部の側面となる。したがって、第１プローブ部側コネクタ１３１に第２プローブ部側コネクタ１３２が取り付けられている場合、プローブ部側コネクタ１３と、本体部側コネクタ３１の接続端子３１ｂと、は絶縁された状態となる。
【００２８】
さらに、支持部１３２ｅは、例えば、第１プローブ部側コネクタ１３１に取り付けられる側の面に略円柱状の凸部を有している。例えば、支持部１３２ｅの凸部の内部には、第１接触端子１３２ｃが第１端子１３１ａを挿入可能な状態で埋め込まれており、支持部１３２ｅの凸部の側面は、第２接触端子１３２ｄでほぼ覆われている。
側面が第２接触端子１３２ｄでほぼ覆われた支持部１３２ｅの凸部は、側面が第２端子１３１ｂでほぼ覆われた第１プローブ部側コネクタ１３２の支持部１３１ｃの凹部と嵌合するようになっている。
【００２９】
≪本体部の構成≫
本体部３０は、プローブ部１０により第１被測定信号のみが測定された場合は、第１被測定信号の波形等を表示部３５に表示するとともに、プローブ部１０により第１被測定信号及び第２被測定信号が同時に測定された場合は、第１被測定信号及び第２被測定信号の波形や、第１被測定信号及び第２被測定信号を用いた論理演算の結果などを表示部３５に表示するようになっている。
具体的には、本体部３０は、例えば、本体部側コネクタ３１と、第２入力端子３２と、サブグランドリード３３と、信号処理部３４と、表示部３５と、操作部３６と、制御部３７と、などを備えて構成される。
【００３０】
本体部側コネクタ３１は、例えば、本体部３０の前面における所定位置に突出するように配設されたメス型のコネクタである。本体部側コネクタ３１は、例えば、プローブ部側コネクタ１３とともに、同軸ケーブルであるケーブル１１を、本体部３０に接続するための同軸コネクタであり、具体的には、例えば、ＢＮＣコネクタである。
具体的には、本体部側コネクタ３１は、例えば、信号処理部３４に接続された第１入力端子３１ａと、本体部３０のグランドに接続された接続端子３１ｂと、第１入力端子３１ａ及び接続端子３１ｂを支持する支持部３１ｃと、などを有している
【００３１】
第１入力端子３１ａは、例えば、第１プローブ部側コネクタ１３１に第２プローブ部側コネクタ１３２が取り付けられている場合は、第２プローブ部側コネクタ１３２の第１出力端子１３２ａと接触して、第１出力端子１３２ａから出力された第１被測定信号が入力されるとともに、第１プローブ部側コネクタ１３１から第２プローブ部側コネクタ１３２が取り外されている場合は、第１プローブ部側コネクタ１３１の第１端子１３１ａと接触して、第１端子１３１ａから出力された第１被測定信号が入力される。そして、第１入力端子３１ａは、当該入力された第１被測定信号を信号処理部３４に出力する。
【００３２】
接続端子３１ｂは、例えば、第１プローブ部側コネクタ１３１に第２プローブ部側コネクタ１３２が取り付けられている場合は、絶縁体で形成された第２プローブ部側コネクタ１３２の支持部１３２ｅの凹部の側面と接触して、プローブ部１０とは電気的に絶縁されるとともに、第１プローブ部側コネクタ１３１から第２プローブ部側コネクタ１３２が取り外されている場合は、第１プローブ部側コネクタ１３１の第２端子１３１ｂと接触して、本体部３０のグランドと、グランドリード１２ｂが接触する被測定対象のグランドと、を電気的に接続する。
【００３３】
支持部３１ｃは、例えば、絶縁体で、略円柱状に形成されている。
例えば、支持部３１ｃの内部には、第１入力端子３１ａが第１端子１３１ａ又は第１出力端子１３２ａを挿入可能な状態で埋め込まれており、支持部１３２ｅにおける本体部３０の前面から突出した部分の側面は、接続端子３１ｂでほぼ覆われている。
【００３４】
第２入力端子３２は、例えば、第２プローブ部側コネクタ１３２の第２出力端子１３２ｂが挿入可能な凹部を有しており、例えば、本体部３０の前面における、第２プローブ部側コネクタ１３２を本体部側コネクタ３１に接続した場合に当該凹部に第２出力端子１３２ｂが挿入できる位置に、当該凹部の開口を露出するように埋め込まれている。
第２入力端子３２は、例えば、第２プローブ部側コネクタ１３２の第２出力端子１３２ｂと接触して、第２出力端子１３２ｂから出力された第２被測定信号が入力される。そして、第２入力端子３２は、当該入力された第２被測定信号を信号処理部３４に出力する。
【００３５】
サブグランドリード３３は、例えば、本体部３０の前面における所定位置に着脱自在に取り付けられている。
具体的には、サブグランドリード３３は、例えば、本体部側コネクタ３１に第２プローブ部側コネクタ１３２が取り付けられた第１プローブ部側コネクタ１３１が接続される場合に、本体部３０に取り付けられる。そして、サブグランドリード３３は、例えば、接続手段として、本体部３０のグランドと、被測定対象のグランドと、を接続する。
【００３６】
信号処理部３４は、制御部３７から入力される制御信号に従って、例えば、信号処理手段として、第１被測定信号の波形や第２被測定信号の波形を表示部３５に表示するために、第１入力端子３１ａに入力された第１被測定信号や第２入力端子３２に入力された第２被測定信号に対して所定の処理を施したり、第１被測定信号及び第２被測定信号を用いた論理演算の結果を表示部３５に表示するために、第１入力端子３１ａに入力された第１被測定信号や第２入力端子３２に入力された第２被測定信号に対して所定の処理を施して、第１被測定信号及び第２被測定信号を用いて論理演算を行ったりする。
ここで、被測定信号の波形とは、例えば、被測定信号の電圧の時間変化を示す波形等である。
また、論理演算の結果とは、例えば、第１被測定信号及び第２被測定信号をトリガ源として、ＡＮＤやＯＲなどの論理トリガをかけて得た波形等である。
【００３７】
表示部３５は、例えば、本体部３０の前面に配設された、ＣＲＴ（Cathode Ray Tube）ディスプレイや液晶ディスプレイなどである。
表示部３５は、制御部３７から入力される制御信号に従って、例えば、信号処理部３４により処理された第１被測定信号や第２被測定信号の波形、信号処理部３４により行われた論理演算の結果等を表示する。
【００３８】
操作部３６は、例えば、本体部３０の前面に配設されている。
操作部３６は、例えば、操作ボタンや操作ダイヤルなどから構成され、例えば、ユーザにより操作されると、当該操作に伴う操作信号を制御部３７に出力する。
【００３９】
具体的には、操作部３５は、例えば、ユーザが、第２プローブ部側コネクタ１３２が取り付けられたプローブ部１０を本体部３０に接続したか、或いは、第２プローブ部側コネクタ１３２が取り外されたプローブ部１０を本体部３０に接続したか、を設定する際に操作される。
また、操作部３５は、例えば、ユーザが、論理トリガの種類（ＡＮＤやＯＲなど）を設定する際に操作される。
【００４０】
制御部３７は、例えば、図４に示すように、ＣＰＵ（Central Processing Unit）３７１と、ＲＡＭ（Random Access Memory）３７２と、記憶部３７３と、などを備えている。
【００４１】
ＣＰＵ３７１は、例えば、記憶部３７３に記憶された本体部３０用の各種処理プログラムに従って各種の制御動作を行う。
【００４２】
ＲＡＭ３７２は、例えば、ＣＰＵ３７１によって実行される処理プログラムなどを展開するためのプログラム格納領域や、入力データや上記処理プログラムが実行される際に生じる処理結果などを格納するデータ格納領域などを備える。
【００４３】
記憶部３７３は、例えば、本体部３０で実行可能なシステムプログラム、当該システムプログラムで実行可能な各種処理プログラム、これら各種処理プログラムを実行する際に使用されるデータ、ＣＰＵ３７１によって演算処理された処理結果のデータなどを記憶する。なお、プログラムは、コンピュータが読み取り可能なプログラムコードの形で記憶部３７３に記憶されている。
【００４４】
記憶部３７３は、例えば、切替プログラム３７３ａと、信号処理制御プログラム３７３ｂと、表示制御プログラム３７３ｃと、などを記憶している。
【００４５】
切替プログラム３７３ａは、例えば、信号処理部３４の処理状態を切り替える機能を、ＣＰＵ３７１に実現させる。
【００４６】
具体的には、ＣＰＵ３７１は、例えば、本体部側コネクタ３１に、第２プローブ部側コネクタ１３２が取り外された第１プローブ部側コネクタ１３１が接続される場合は、すなわち、ユーザによる操作部３６の操作によって第２プローブ部側コネクタ１３２が取り外されたプローブ部１０を本体部３０に接続したと設定された場合は、信号処理部３４の処理状態を、第１被測定信号のみを処理する状態に切り替える。
一方、ＣＰＵ３７１は、例えば、本体部側コネクタ３１に、第１プローブ部側コネクタ１３１に取り付けられた第２プローブ部側コネクタ１３２が接続される場合は、すなわち、ユーザによる操作部３６の操作によって第２プローブ部側コネクタ１３２が取り付けられたプローブ部１０を本体部３０に接続したと設定された場合は、信号処理部３４の処理状態を、第１被測定信号及び第２被測定信号を処理する状態に切り替える。
ＣＰＵ３７１は、かかる切替プログラム３７３ａを実行することによって、切替手段として機能する。
【００４７】
信号処理制御プログラム３７３ｂは、例えば、信号処理部３４を制御する機能を、ＣＰＵ３７１に実現させる。
【００４８】
具体的には、切替プログラム３７３ａを実行したＣＰＵ３７１により信号処理部３４の処理状態が第１被測定信号のみを処理する状態に切り替えられた場合には、ＣＰＵ３７１は、例えば、信号処理部３４に制御信号を入力して、第１被測定信号の波形を表示部３５に表示するために、第１入力端子３１ａに入力された第１被測定信号に対して所定の処理を施させる。
【００４９】
一方、切替プログラム３７３ａを実行したＣＰＵ３７１により信号処理部３４の処理状態が第１被測定信号及び第２被測定信号を処理する状態に切り替えられた場合には、ＣＰＵ３７１は、例えば、信号処理部３４に制御信号を入力して、第１被測定信号及び第２被測定信号の波形を表示部３５に表示するために、第１入力端子３１ａに入力された第１被測定信号及び第２入力端子３２に入力された第２被測定信号に対して所定の処理を施させる。
また、切替プログラム３７３ａを実行したＣＰＵ３７１により信号処理部３４の処理状態が第１被測定信号及び第２被測定信号を処理する状態に切り替えられ、さらに、ユーザによる操作部３６の操作によって論理トリガの種類が設定された場合には、信号処理部３４に制御信号を入力して、第１被測定信号及び第２被測定信号を用いた論理演算の結果を表示部３５に表示するために、第１入力端子３１ａに入力された第１被測定信号及び第２入力端子３２に入力された第２被測定信号に対して所定の処理を施させて、第１被測定信号及び第２被測定信号を用いて当該設定された種類の論理演算を行わせる。
【００５０】
表示制御プログラム３７３ｃは、例えば、信号処理部３４による処理結果を表示部３５に表示させる機能を、ＣＰＵ３７１に実現させる。
具体的には、信号処理部３４による処理結果とは、例えば、信号処理部３４により処理された第１被測定信号や第２被測定信号の波形、信号処理部３４により行われた論理演算の結果等である。
ＣＰＵ３７１は、かかる表示制御プログラム３７３ｃを実行することによって、表示制御手段として機能する。
【００５１】
＜オシロスコープによる信号波形表示処理＞
本発明のオシロスコープ１による被測定信号の波形の表示に関する処理について、図５のフローチャートを参照して説明する。
【００５２】
まず、ＣＰＵ３７１は、ユーザによる操作部３６の操作によって、第２プローブ部側コネクタ１３２が取り付けられたプローブ部１０を本体部３０に接続したと設定されたか否か、すなわち、第２プローブ部側コネクタ１３２が取り付けられたプローブ部１０を本体部３０に接続した旨の操作信号が、操作部３６から入力されたか否かを判断する（ステップＳ１）。
【００５３】
ステップＳ１で、第２プローブ部側コネクタ１３２が取り付けられたプローブ部１０を本体部３０に接続した旨の操作信号が入力されたと判断すると（ステップＳ１；Ｙｅｓ）、ＣＰＵ３７１は、切替プログラム３７３ａを実行して、信号処理部３４の処理状態を、第１被測定信号及び第２被測定信号を処理する状態に切り替える（ステップＳ２）。
【００５４】
この際、プローブ部１０は、第１被測定信号及び第２被測定信号を同時に測定して本体部３０に出力する。具体的には、例えば、図２（ｂ）に示すように、本体部側コネクタ３１に、第１プローブ部側コネクタ１３１に取り付けられた第２プローブ部側コネクタ１３２が接続されるとともに、本体部３０にサブグランドリード３３が取り付けられる。そして、プローブ１２ａは第１被測定信号を測定し、グランドリード１２ｂは第２被測定信号を測定し、サブグランドリード３３は被測定対象のグランドと接触される。
プローブ１２ａにより測定された第１被測定信号は、第１プローブ部側コネクタ１３１の第１端子１３１ａ、第２プローブ部側コネクタ１３２の第１接触端子１３２ｃ及び第１出力端子１３２ａ、本体部側コネクタ３１の第１入力端子３１ａを介して、信号処理部３４に入力される。
グランドリード１２ｂにより測定された第２被測定信号は、第１プローブ部側コネクタ第２端子１３１ｂ、第２プローブ部側コネクタ１３２の第２接触端子１３２ｄ及び第２出力端子１３２ｂ、本体部３０の第２入力端子３２を介して、信号処理部３４に出力される。
サブグランドリード３３に接触された被測定対象のグランドは、本体部３０のグランドと接続される。
【００５５】
次いで、ＣＰＵ３７１は、ユーザによる操作部３６の操作によって、論理トリガの種類が設定されたか否かを判断する（ステップＳ３）。
【００５６】
ステップＳ３で、論理トリガの種類が設定されたと判断すると（ステップＳ３；Ｙｅｓ）、ＣＰＵ３７１は、信号処理制御プログラム３７３ｂを実行して、信号処理部３４に、第１入力端子３１ａに入力された第１被測定信号及び第２入力端子３２に入力された第２被測定信号に対して所定の処理を施させて、第１被測定信号及び第２被測定信号を用いて当該設定された種類の論理演算を行わせる。そして、ＣＰＵ３７１は、表示制御プログラム３７３ｃを実行して、表示部３５に、当該論理演算の結果を表示させ（ステップＳ４）、本処理を終了する。
なお、この場合、論理演算の結果とともに、第１被測定信号及び第２被測定信号の波形を表示させるようにしても良い。
【００５７】
一方、ステップＳ３で、論理トリガの種類が設定されていないと判断すると（ステップＳ３；Ｎｏ）、ＣＰＵ３７１は、信号処理制御プログラム３７３ｂを実行して、信号処理部３４に、第１入力端子３１ａに入力された第１被測定信号及び第２入力端子３２に入力された第２被測定信号に対して所定の処理を施させる。そして、ＣＰＵ３７１は、表示制御プログラム３７３ｃを実行して、表示部３５に、第１被測定信号及び第２被測定信号の波形を表示させ（ステップＳ５）、本処理を終了する。
【００５８】
また、ステップＳ１で、第２プローブ部側コネクタ１３２が取り付けられたプローブ部１０を本体部３０に接続した旨の操作信号が入力されていないと判断すると（ステップＳ１；Ｎｏ）、すなわち、第２プローブ部側コネクタ１３２が取り外されたプローブ部１０を本体部３０に接続した旨の操作信号が入力されたと判断すると、ＣＰＵ３７１は、切替プログラム３７３ａを実行して、信号処理部３４の処理状態を、第１被測定信号のみを処理する状態に切り替える（ステップＳ６）。
【００５９】
この際、プローブ部１０は、第１被測定信号のみを測定して本体部３０に出力する。具体的には、例えば、図３（ｂ）に示すように、本体部側コネクタ３１に、第２プローブ部側コネクタ１３２が取り外された第１プローブ部側コネクタ１３１が接続される。そして、プローブ１２ａは第１被測定信号を測定し、グランドリード１２ｂは被測定対象のグランドと接触される。
プローブ１２ａにより測定された第１被測定信号は、第１プローブ部側コネクタ１３１の第１端子１３１ａ、本体部側コネクタ３１の第１入力端子３１ａを介して、信号処理部３４に入力される。
グランドリード１２ｂに接触された被測定対象のグランドは、第１プローブ部側コネクタ第２端子１３１ｂ、本体部３０の接続端子３１ｂを介して、本体部３０のグランドと接続される。
【００６０】
次いで、ＣＰＵ３７１は、信号処理制御プログラム３７３ｂを実行して、信号処理部３４に、第１入力端子３１ａに入力された第１被測定信号に対して所定の処理を施させる。そして、ＣＰＵ３７１は、表示制御プログラム３７３ｃを実行して、表示部３５に、第１被測定信号の波形を表示させ（ステップＳ７）、本処理を終了する。
【００６１】
以上説明した本発明のオシロスコープ１によれば、被測定信号を測定するプローブ部１０と、プローブ部１０により測定された被測定信号の波形を表示部３５に表示する本体部３０と、を備え、プローブ部１０は、被測定信号を発生する被測定対象のグランドと接触されるグランドリード１２ｂと、被測定信号としての第１被測定信号を測定するためのプローブ１２ａと、プローブ１２ａにより測定された第１被測定信号を本体部３０に出力するための第１出力端子１３２ａを有するプローブ部側コネクタ１３と、を有し、本体部３０は、プローブ部側コネクタ１２と接続可能に構成され、第１出力端子１３２ａから出力された第１被測定信号が入力される第１入力端子３１ａと、本体部３０のグランドとグランドリード１２ｂが接触する被測定対象のグランドとを接続するための接続端子３１ｂと、を有する本体部側コネクタ３１と、第１入力端子３１ａに入力された第１被測定信号を処理する信号処理部３４と、信号処理部３４により処理された第１被測定信号の波形を表示部３５に表示させる表示制御プログラム３７３ｃを実行したＣＰＵ３７１と、を有するオシロスコープ１において、グランドリード１２ｂは、被測定信号としての第２被測定信号を測定可能に構成され、プローブ部側コネクタ１３は、接続端子３１ｂと接触する部分が絶縁体で形成されているとともに、グランドリード１２ｂにより測定された第２被測定信号を本体部３０に出力するための第２出力端子１３２ｂを有し、本体部３０は、第２出力端子１３２ｂから出力された第２被測定信号が入力される第２入力端子３２を有し、オシロスコープ１は、本体部３０のグランドと、被測定対象のグランドと、を接続するためのサブグランドリード３３を備え、信号処理部３４は、第２入力端子３２に入力された第２被測定信号を処理し、表示制御プログラム３７３ｃを実行したＣＰＵ３７１は、信号処理部３４により処理された第２被測定信号の波形を表示部３５に表示させるようになっている。
すなわち、プローブ１２ａにより第１被測定信号を測定して、グランドリード１２ｂにより第２被測定信号を測定することができるため、２つのプローブ部を備えなくても、１つのプローブ部１０を用いて２つの被測定信号を測定できる。
【００６２】
また、本発明のオシロスコープ１によれば、プローブ部側コネクタ１３は、プローブ部１０により第１被測定信号のみを測定する場合に本体部側コネクタ３１に接続される第１プローブ部側コネクタ１３１と、第１プローブ部側コネクタ１３１に着脱自在に取り付けられ、プローブ部１０により第１被測定信号及び第２被測定信号を測定する場合に第１プローブ部側コネクタ１３１に取り付けられた状態で本体部側コネクタ３１に接続されるとともに、第１出力端子１３２ａと第２出力端子１３２ｂとを有する第２プローブ部側コネクタ１３２と、を有し、第１プローブ部側コネクタ１３１は、第２プローブ部側コネクタ１３２が取り付けられている場合は、プローブ１２ａにより測定された第１被測定信号を第２プローブ部側コネクタ１３２の第１出力端子１３２ａに出力するとともに、第２プローブ部側コネクタ１３２が取り外されている場合は、プローブ１２ａにより測定された第１被測定信号を第１入力端子３１ａに出力するための第１端子１３１ａと、第２プローブ部側コネクタ１３２が取り付けられている場合は、グランドリード１２ｂにより測定された第２被測定信号を第２プローブ部側コネクタ１３２の第２出力端子１３２ｂに出力するとともに、第２プローブ部側コネクタ１３２が取り外されている場合は、グランドリード１２ｂと接続端子３１ｂとを電気的に接続するための第２端子１３１ｂと、を有し、第２プローブ部側コネクタ１３２は、接続端子３１ｂと接触する部分が絶縁体で形成されている。
すなわち、プローブ部側コネクタ１３が第１プローブ部側コネクタ１３１のみから成る、１つの被測定信号のみを測定可能な従来のプローブ部１０に、変換アダプタとして機能する第２プローブ部側コネクタ１３２を取り付けると、２つの被測定信号を同時に測定できるようになる。
したがって、プローブ部１０は、第２プローブ部側コネクタ１３２を取り付けると、２つの被測定信号を同時に測定でき、第２プローブ部側コネクタ１３２を取り外すと、１つの被測定信号のみを測定できるため、使い勝手が良い。
【００６３】
また、本発明のオシロスコープ１によれば、本体部側コネクタ３１に、第２プローブ部側コネクタ１３２が取り外された第１プローブ部側コネクタ１３１が接続される場合は、信号処理部３４を、第１被測定信号のみを処理する状態に切り替え、本体部側コネクタ３１に、第１プローブ部側コネクタ１３１に取り付けられた第２プローブ部側コネクタ１３２が接続される場合は、信号処理部３４を、第１被測定信号及び第２被測定信号を処理する状態に切り替える切替プログラム３７３ａを実行したＣＰＵ３７１を備えている。
したがって、信号処理部３４は、プローブ部１０により２つの被測定信号が測定される場合、確実にこの２つの被測定信号を処理することができ、プローブ１０により１つの被測定信号が測定される場合、確実にこの１つの被測定信号を処理することができる。
【００６４】
また、本発明のオシロスコープ１によれば、信号処理部３４は、第１被測定信号及び第２被測定信号を用いて論理演算を行い、表示制御プログラム３７３ｃを実行したＣＰＵ３７１は、当該論理演算の結果を表示部３５に表示させるようになっている。
すなわち、プローブ１２ａにより第１被測定信号を測定するとともに、グランドリード１２ｂにより第２被測定信号を測定して、第１被測定信号及び第２被測定信号を用いた論理演算の結果を表示することができるため、２つのプローブ部を備えなくても、１つのプローブ部１０を用いて論理トリガを利用することができる。
【００６５】
なお、本発明は、上記した実施の形態のものに限るものではなく、その要旨を逸脱しない範囲で適宜変更可能である。
【００６６】
第１プローブ部側コネクタ１３１と第２プローブ部側コネクタ１３２とを一体的に構成しても良い。すなわち、例えば、第２プローブ部側コネクタ１３２を、第１プローブ部側コネクタ１３１から取り外せないように構成しても良い。この場合、第１被測定信号のみを測定したいときは、例えば、プローブ１２ａ又はグランドリード１２ｂにより第１被測定信号を測定して、サブグランドリード３３により被測定対象のグランドと本体部３０のグランドとを接続することになる。
【００６７】
サブグランドリード３３を本体部３０に取り付けて、サブグランドリード３３によって、直接、被測定対象のグランドと本体部３０のグランドとを接続するようにしたが、被測定対象のグランドと本体部３０のグランドとを接続できるのであれば、これに限ることはなく、例えば、サブグランドリード３３をプローブ部側コネクタ１３の所定位置に取り付けても良い。この場合、サブグランドリード３３は、例えば、プローブ部側コネクタ１３及び本体部側コネクタ３１を介して、被測定対象のグランドと本体部３０のグランドとを接続することになる。
【００６８】
ユーザによる操作部３６の操作によって第２プローブ部側コネクタ１３２が取り外されたプローブ部１０を本体部３０に接続したと設定された場合に、信号処理部３４の処理状態を、第１被測定信号のみを処理する状態に切り替え、ユーザによる操作部３６の操作によって第２プローブ部側コネクタ１３２が取り付けられたプローブ部１０を本体部３０に接続したと設定された場合に、信号処理部３４の処理状態を、第１被測定信号及び第２被測定信号を処理する状態に切り替えるようにしたが、これに限ることはなく、例えば、第２入力端子３２に第２出力端子１３２ｂが挿入されたことや、第２入力端子３２に第２被測定信号が入力されたことなどを検知して、当該検知結果に基づいて、信号処理部３４の処理状態を切り替えるようにしても良い。
【図面の簡単な説明】
【００６９】
【図１】本発明のオシロスコープの模式図である。
【図２】本発明のオシロスコープの機能的構成を示す図であって、第２プローブ部側コネクタが取り付けられたプローブ部と本体部とを示す図（ａ）と、第２プローブ部側コネクタが取り付けられたプローブ部を装着した本体部を示す図（ｂ）である。
【図３】本発明のオシロスコープの機能的構成を示す図であって、第２プローブ部側コネクタが取り外されたプローブ部と本体部とを示す図（ａ）と、第２プローブ部側コネクタが取り外されたプローブ部を装着した本体部を示す図（ｂ）である。
【図４】本発明のオシロスコープが有する制御部の機能的構成を示す図である。
【図５】本発明のオシロスコープによる被測定信号の波形の表示に関する処理について説明するためのフローチャートである。
【符号の説明】
【００７０】
１  オシロスコープ
１０  プローブ部
１２ｂ  グランドリード
１２ａ  プローブ
１３  プローブ部側コネクタ
３０  本体部
３１  本体部側コネクタ
３１ａ  第１入力端子
３１ｂ  接続端子
３２  第２入力端子
３３  サブグランドリード（接続手段）
３４  信号処理部（信号処理手段）
３５  表示部
１３１  第１プローブ部側コネクタ
１３１ａ  第１端子
１３１ｂ  第２端子
１３２  第２プローブ部側コネクタ
１３２ａ  第１出力端子
１３２ｂ  第２出力端子
３７１  ＣＰＵ（表示制御手段、切替手段）
３７３ａ  切替プログラム（切替手段）
３７３ｃ  表示制御プログラム（表示制御手段）
【図１】
2009047589.tif 000003
【図２】
2009047589.tif 000004
【図３】
2009047589.tif 000005
【図４】
2009047589.tif 000006
【図５】
2009047589.tif 000007